(57)【要約】【課題】  書き換え可能な光ディスクのセクタの書き換え回数及び代替セクタの領域の確保を管理し、光ディスクに記録したデータを保護する情報記録再生装置を提供する。【解決手段】  読み込んだ管理情報からＣＰＵ１８は、所定の記録領域である管理情報セクタの書き換え回数を検出し（Ｓ２０５）、管理情報セクタの書き換え回数が所定回数に達しているかどうかを判別する（Ｓ２０６）。管理情報セクタの書き換え回数が所定回数に達している場合（Ｓ２０６Ｙｅｓ）、挿入された光ディスクが書き換え不可であることをユーザに警告報知する（Ｓ２０７）。その後、ファイナライズを行い、読み取り専用光ディスクとし（Ｓ２０８）、光ディスクを排出して（Ｓ２２０）終了するようにする。【選択図】      図２
2006185534.tif 000002
【特許請求の範囲】
【請求項１】
トラックのデータ領域を分割したセクタを単位として複数回データの書き換えが可能な光ディスクを用いた情報記録再生装置であって、
前記光ディスクの所定の記録領域に前記書き換えした回数のデータを記録する記録手段と、
前記記録領域に記録されている書き換えした回数のデータを検出する検出手段と、
前記検出手段により検出された書き換え回数が予め決められた所定の回数を超えた場合に警告を発する警告報知手段と、
前記光ディスクを読み取り専用ディスクとするためのファイナライズ処理を選択する選択手段と、
を有し、
前記検出手段により検出された書き換え回数のデータが所定の回数以下の場合には前記選択手段により任意の書き換え回数でファイナライズ処理を行うようにするとともに、前記検出手段により検出された書き換え回数のデータが所定の回数を超えた場合には警告報知手段により警告を発した後、前記選択手段によりファイナライズ処理を行い前記光ディスクを読み取り専用ディスクとし記録されたデータを保護するようにしたことを特徴とする情報記録再生装置。
【発明の詳細な説明】
【技術分野】
【０００１】
本発明は、書き換え可能な光ディスクを用いた情報記録再生装置に関する。
【背景技術】
【０００２】
従来、ＣＤ（コンパクトディスク）系光記録媒体では、オーバーライトの規格がない。光記録媒体のオーバーライトを繰り返していくうちにジッターが悪くなり、エラーとなってしまって信頼性が低化してしまう。このような問題点を改善し、書き換えの回数を記録し、所定回数に達した場合書き込みを不能として信頼性を向上させることができる相変化型光記録媒体及び相変化型光記録装置が提案されている（例えば、特許文献１参照。）。
【０００３】
また、光記録媒体のオーバーライトを繰り返していくうちにジッターが悪くなることに関して、オーバーライトの回数に応じて光記録媒体への記録のパワーを大きくしていく相変化型光記録装置が提案されている（例えば、特許文献２参照。）。
【０００４】
【特許文献１】特開平８−３１５３６０号公報
【特許文献２】特開２００２−２５０６８公報
【発明の開示】
【発明が解決しようとする課題】
【０００５】
ＤＶＤ（Digital Versatile Disc）系光記録媒体では、書き換え可能な光ディスクの所定の領域にDVD-R、DVD-RW特有の領域であるR-Information areaが配置されている。この領域は記録レーザパワーの校正（PCA: Power Calibration Area）や記録機にとって必要な記録管理情報のために用意されている。
また、オーバーライトの回数についても規定がなされている。
【０００６】
しかしながら、上述の特許文献２の提案においては、オーバーライトの回数により記録を最適化するものであり、また、特許文献１の提案においては、オーバーライトの回数が所定回数に達した場合光記録媒体への書き込みを不能としているものである。いずれの場合も所定のオーバーライトの回数を超えると書き込み不能としているが、書き換え可能なＤＶＤの場合オーバーライトの回数を超えると不良セクタとなり読み出しも不能となりエラーディスクになってしまうという問題があった。
【０００７】
また、所定のオーバーライト回数以下の場合であっても、光記録媒体に書き込もうとするセクタに不良が発生し、代替セクタの領域が確保できないような場合書き込み不能となり、その結果、読み出しも不能となりエラーディスクになってしまうという問題があった。
【０００８】
本発明は、以上の点に鑑みなされたもので、書き換え可能な光ディスクのセクタの書き換え回数及び代替セクタの領域の確保を管理し、光ディスクに記録したデータを保護する情報記録再生装置を提供することを目的とする。
【課題を解決するための手段】
【０００９】
本発明は、上記課題を解決するために、以下に記載の手段よりなる。
すなわち、
トラックのデータ領域を分割したセクタを単位として複数回データの書き換えが可能な光ディスクを用いた情報記録再生装置であって、
前記光ディスクの所定の記録領域に前記書き換えした回数のデータを記録する記録手段と、
前記記録領域に記録されている書き換えした回数のデータを検出する検出手段と、
前記検出手段により検出された書き換え回数が予め決められた所定の回数を超えた場合に警告を発する警告報知手段と、
前記光ディスクを読み取り専用ディスクとするためのファイナライズ処理を選択する選択手段と、
を有し、
前記検出手段により検出された書き換え回数のデータが所定の回数以下の場合には前記選択手段により任意の書き換え回数でファイナライズ処理を行うようにするとともに、前記検出手段により検出された書き換え回数のデータが所定の回数を超えた場合には警告報知手段により警告を発した後、前記選択手段によりファイナライズ処理を行い前記光ディスクを読み取り専用ディスクとし記録されたデータを保護するようにしたことを特徴とする情報記録再生装置。
【発明の効果】
【００１０】
本発明の「情報記録再生装置」によれば、光ディスクの書き換え不可セクタである所定の記録領域の管理情報セクタの書き換え回数を管理すること、書き換え可能セクタのエラー情報を管理することにより書き換え可能な光ディスクの書き換え回数を管理し、光ディスクに記録したデータを保護することができる情報記録再生装置を提供することができる。
【発明を実施するための最良の形態】
【００１１】
以下、本発明に係る情報記録再生装置の発明を実施するための最良の形態につき、好ましい実施例により説明する。
図１は本実施例に適用される情報記録再生装置の構成を示した概略ブロック図である。同図に示すように、情報記録再生装置１０は、チューナ１１、ＳＷ１２、Ａ／Ｄ変換器１３、エンコーダ１４、光ディスク記録再生回路２０、光ディスクドライブ部２１、デコーダ１５、Ｄ／Ａ変換器１６、出力回路１７、ＣＰＵ１８、メモリ１９から構成されている。また、ＲＦ入力端子２４ａ、外部入力端子２４ｂ、外部出力端子２４ｃを備え、光ディスクドライブ部２１には光ディスク２２が挿入される。
【００１２】
情報記録再生装置１０における映像信号に係る動作について説明する。外部入力端子２４ｂからの映像信号と、ＲＦ入力端子２４ａから入来しチューナ１１にて復調されたＴＶ映像信号と、がＳＷ１２にて選択されＡ／Ｄ変換器１３に供給される。Ａ／Ｄ変換器１３にてデジタル映像信号に変換された後、エンコーダ１４に供給され所定の方式にて符号化され光ディスク記録再生回路２０に供給される。光ディスク記録再生回路２０で記録するための情報を付加し変調し記録信号を生成した後光ディスクドライブ部２１に供給され光ディスク２２に記録される。
【００１３】
再生映像信号については、光ディスクドライブ部２１に挿入された光ディスク２２から再生された再生信号を光ディスク記録再生回路２０で復調し、記録のため付加された情報を取り除いた後デコーダ１５に供給される。デコーダ１５でエンコーダ１４と相補の方式で復号化した後、Ｄ／Ａ変換器１６に供給されアナログ映像信号に変換され出力回路１７を介して外部出力端子２４ｃより外部表示装置に出力される。
【００１４】
次に、図２を用いて書き換え可能な光ディスクを取り扱う場合の動作について説明する。図２は、書き換え可能な光ディスクに書き込みを行う動作を説明するためのフローチャートである。まず、書き換え可能な光ディスクを光ディスクドライブ部２１に挿入する（Ｓ２０１）。光ディスクドライブ部２１は光ディスクの読み込み（Ｓ２０２）を行い、光ディスク記録再生回路２０にて光ディスクの管理情報を読み込む（Ｓ２０３）。
【００１５】
読み込んだ管理情報からＣＰＵ１８は光ディスクの種類判別を行うとともに、所定の記録領域である管理情報セクタと書き込み可能領域セクタとの書き換え回数を検出する（Ｓ２０４，Ｓ２０５）。そして、管理情報セクタの書き換え回数が所定回数に達しているかどうかを判別する（Ｓ２０６）。
【００１６】
管理情報セクタの書き換え回数が所定回数に達している場合（Ｓ２０６Ｙｅｓ）、挿入された光ディスクが書き換え不可であることをユーザに警告報知する（Ｓ２０７）。その後、ファイナライズを行い、読み取り専用光ディスクとし（Ｓ２０８）、光ディスクを排出して（Ｓ２２０）終了する。
【００１７】
管理情報セクタの書き換え回数が所定回数に達していない場合（Ｓ２０６Ｎｏ）、挿入された光ディスクの書き込みセクタを決定し、その書き込みセクタが正常であるかテスト書き込み読み出しを行う（Ｓ２１０）。このテスト書き込み読み出しでエラーがなければ（Ｓ２１１Ｎｏ）決定した書き込みセクタにデータを書き込む（Ｓ２１５）。その後、光ディスクを排出して（Ｓ２２０）終了する。
【００１８】
決定した書き込みセクタのテスト書き込み読み出しでエラーがあれば（Ｓ２１１Ｙｅｓ）代替の書き込みセクタが存在するかどうか検出する（Ｓ２１５）。代替の書き込みセクタが存在する場合（Ｓ２１５Ｙｅｓ）、その代替書き込みセクタが正常であるかテスト書き込み読み出しを行う（Ｓ２１０）。このテスト書き込み読み出しでエラーがなければ（Ｓ２１１Ｎｏ）決定した書き込みセクタにデータを書き込む（Ｓ２１５）。その後、光ディスクを排出して（Ｓ２２０）終了する。
【００１９】
決定した代替書き込みセクタのテスト書き込み読み出しでエラーがあれば（Ｓ２１１Ｙｅｓ）さらに代替の書き込みセクタが存在するかどうか検出する（Ｓ２１５）。代替の書き込みセクタが存在する場合（Ｓ２１５Ｙｅｓ）、上述の段落００１８と同様書き込みの処理を行う。
【００２０】
さらに代替の書き込みセクタが存在するかどうか検出し（Ｓ２１５）、代替の書き込みセクタが存在しない場合（Ｓ２１５Ｎｏ）、この光ディスクはこれ以上の書き込みが不能であるので、挿入された光ディスクが書き換え不可であることをユーザに警告報知する（Ｓ２１３）。その後、ファイナライズを行い、読み取り専用光ディスクとし（Ｓ２１４）、光ディスクを排出して（Ｓ２２０）終了する。
【００２１】
上述のように情報管理セクタの書き換え回数を管理して書き換えを行うことにより、情報管理セクタが不良なセクタとなる前に、また書き換え可能セクタが不良セクタとなり光ディスク全体で不良ディスクとなる前にファイナライズを行え、読み取り可能ディスクとして光ディスクのデータを保護することができる。
【００２２】
なお、上述の実施例では、正常な書き換えが終了すると光ディスクを排出し光ディスク書き換えを終了する構成としているが、正常な書き換えが終了した時点で情報管理セクタの書き換え回数をもう一度検出し、その時点で書き換え回数が所定の回数に達しているならばファイナライズを行い光ディスクを排出終了する構成としてもよい。
【図面の簡単な説明】
【００２３】
【図１】本実施例に適用される情報記録再生装置の構成を示した概略ブロック図である。
【図２】書き換え可能な光ディスクに書き込みを行う動作を説明するためのフローチャートである。
【符号の説明】
【００２４】
１０…情報記録再生装置
１１…チューナ
１２…ＳＷ
１３…Ａ／Ｄ変換器
１４…エンコーダ
２０…光ディスク記録再生回路
２１…光ディスクドライブ部
１５…デコーダ
１６…Ｄ／Ａ変換器
１７…出力回路
１８…ＣＰＵ
１９…メモリ
２２…光ディスク
【図１】
2006185534.tif 000003
【図２】
2006185534.tif 000004